(57)【要約】      （修正有）【課題】下半身ハンガーはスーツまたは他の組み物の商品を展示するために、上着用ハンガーと結合される。下半身の衣類は広範なサイズの種類があり、下半身用の衣類ハンガーは衣類のサイズに合わせた多様な長さのものが提供される。【解決手段】コーディネイトループハンガー（２）が分離されたハンガー本体（６）と分離された組み合わせ要素とを組み立てたものであることによって、異なるハンガー本体（６）のサイズと組み合わせ要素のサイズとの取り合わせの中から自由に選択できる。  【選択図】図１
2006280957.tif 000002
【特許請求の範囲】
【請求項１】
上側ハンガー係合手段に接続した予め選択した長さの部材であって、前記係合手段から遠位側の端部に第１結合形状を有する部材を含む組み合わせ要素と、
その中に衣類の商品を受け入れる少なくとも１つのクランプが設けられ、第２結合形状が設けられたハンガー本体とを含み、
前記第１結合形状は前記第２結合形状に対して、またはその逆に係合可能であり、
少なくとも、前記第１結合形状および前記第２結合形状の一方は、分離防止器が設けられ、前記第１結合形状と前記第２結合形状とが係合したとき、前記分離防止器が分離抵抗位置に配置され、分離防止器が前記第１および前記第２結合形状の分離に抵抗するハンガーシステム。
【請求項２】
前記第１結合形状はプラグである請求項１に記載のハンガーシステム。
【請求項３】
前記第２結合形状はソケットである請求項１に記載のハンガーシステム。
【請求項４】
前記第１結合形状はプラグである請求項３に記載のハンガーシステム。
【請求項５】
前記組み合わせ要素、前記係合手段および前記第１結合形状は、一体構造である請求項１に記載のハンガーシステム。
【請求項６】
前記ハンガー本体は、少なくとも前記クランプの一部と前記第２結合形状とが一体構造である請求項１に記載のハンガーシステム。
【請求項７】
前記係合手段は、閉じたループである請求項１に記載のハンガーシステム。
【請求項８】
前記係合手段は、開いたループである請求項１に記載のハンガーシステム。
【請求項９】
前記第２結合形状は、ソケットからなり、
前記ソケットは、前記ハンガー本体に付属するソケット保持部の上に位置し、
さらに、前記ソケット保持部に側壁が付属して前記ソケットの中に前記第１結合形状を受け入れ可能な空間を画定する請求項１に記載のハンガーシステム。
【請求項１０】
前記第２結合形状は、前記ハンガー本体に付属するソケット保持部の上に位置するソケットと、
前記ソケット保持部に付属して前記ソケットの中に前記第１結合形状を受け入れ可能な空間を画定する側壁とを含み、
前記ソケット保持部は、前記ソケットの周囲に開口している請求項１に記載のハンガーシステム。
【請求項１１】
前記第２結合形状は、前記ハンガー本体の上に位置するソケットからなり、
前記ソケットは、ソケット保持部に付属した側壁を有し、戦記第１結合形状を受け入れ可能な空間を画定する請求項１に記載のハンガーシステム。
【請求項１２】
前記分離防止器は、前記第１結合形状の上に位置する請求項１に記載のハンガーシステム。
【請求項１３】
前記分離防止器は、前記プラグの上に位置する請求項２に記載のハンガーシステム。
【請求項１４】
前記分離防止器は、前記プラグに付属したタブであり、
前記タブは、傾斜面およびロック面を有し、
前記プラグは、前記第２結合形状に嵌入され、
前記ロック面は、前記タブの上に配置され、前記第２結合形状の表面と分離に抵抗するように当接し合う請求項２に記載のハンガーシステム。
【請求項１５】
前記第１結合形状はプラグであり、前記分離防止器は、前記プラグに付属したタブであり、
前記タブは、傾斜面およびロック面を有し、
前記ロック面は、前記プラグが前記ソケットに嵌入されたとき、前記タブの表面に配置され、分離に抵抗するように前記側壁の表面に当接する請求項９に記載のハンガーシステム。
【請求項１６】
前記第１結合形状はプラグであり、前記分離防止器は前記プラグに付属するタブであり、
前記タブは傾斜面とロック面とを有し、
前記ロック面は、前記婦ら図が前記ソケットに嵌入されたとき、前記タブの上に配置され、分離に抵抗するように前記ソケット保持部の開口の表面に当接する請求項１０に記載のハンガーシステム。
【請求項１７】
前記第１結合形状はプラグであり、前記分離防止器は前記プラグに付属するタブであり、
前記タブは傾斜面とロック面とを有し、
前記ロック面は、前記プラグが前記ソケットに嵌入されたとき、前記タブの上に配置され、分離に抵抗するように前記側壁の開口の表面に当接する請求項１０に記載のハンガーシステム。
【請求項１８】
前記分離防止器は前記第２結合形状の上に配置されている請求項１に記載のハンガーシステム。
【請求項１９】
前記分離防止器は前記ソケットの上に配置されている請求項３に記載のハンガーシステム。
【請求項２０】
前記第１結合形状はソケットである請求項１に記載のハンガーシステム。
【請求項２１】
前記第２結合形状はプラグである請求項１に記載のハンガーシステム。
【請求項２２】
前記第１結合形状はソケットである請求項２１に記載のハンガーシステム。
【発明の詳細な説明】
【技術分野】
【０００１】
本発明は、衣類ハンガー、特に、下半身用の衣類を支持して保持する衣類ハンガーの分野に導出される。そのようなハンガーは、コーディネイトループハンガーということができ、コーディネイトループハンガーは上着のハンガーに支持される。
【背景技術】
【０００２】
多くの衣類は、ひと揃いまたはセットで合わせて販売されるようにデザインされている。例えば、ジャケットとパンツのセット、ジャケットとトップのセット、ショーツとトップのセット、および他のそのような組み合せは、特に、セット売りされるべく製造され得る。そのような衣服の販売において、販売者は、それらの衣類を一緒に購入されるべきものと分かるような方法で展示することを望んでいる。このため、セパレートの衣類は、別々のハンガーに掛けて横または前後に、或いは、１つのハンガーに掛けて展示される。そのような展示方法の欠点は、最初の例では衣類を一緒に展示するために複数のフレームまたはサポートが要求され、２つ目の例ではハンガーの共有はコーディネイト衣類セットを構成する個々の衣類の一つを覆い隠し得る。
【０００３】
衣類セットを一緒に展示する利点は、展示に必要なスペースがかなり小さくなることである。そのようなコーディネイト商品を一緒に展示することのさらなる利点は、消費者にとってそのような衣類を発見して購入しやすくすることである。さらに、そのような衣類セットを販売場所に出荷する前に展示の準備がなされる場合、衣類を一緒に格納することは、そのような衣類の搬送および保管にまで拡張し得る。つまり、つまり、準的なガーメントオンハンガー（ＧＯＨ）プログラムにおいて衣類はそれらのハンガーセットの上で包装されて販売場所に出荷され得る。
【０００４】
さらに、多くの場合、セパレートの衣類は、スカートまたはスラックスを保持できるハンガーと共に使用されるブラウスを展示するのに適したハンガーのように、それぞれ異なるタイプのハンガーを要求する。２つのハンガーを１つに組み合わせる、つまり、一方のハンガーが他方に吊されるハンガーの構造がこのような用途に用いられてもよい。そのようなハンガーには、支持するハンガーに取付構造が、一時的または恒久的に接続されてもよい。
【０００５】
ハンガー製造業者は、下半身用の衣類を支持するための多くの異なるハンガーを開発しており、それらの多くは、開放位置から閉鎖位置まで移動可能な顎を有するクランプで会ってそのクランプを閉鎖位置に保持する手段を有するものが設けられている。そのようなハンガーは、吊り下げ手段で組み合されるハンガーが下の衣類のハンガーが外れることを防止できるようにするような、棚の棒、或いは開いたループまたは閉じたループのような他の手段などの他の吊り下げる部材から吊り下げられるのに適してもよい。閉じたループは、ハンガー本体およびループと一体でも一体でなくてもよい中間部材によって、下の衣類のハンガーの本体に取り付けられてもよい。
【発明の開示】
【発明が解決しようとする課題】
【０００６】
時折、下半身用ハンガーは、スーツまたは他の組物の商品を展示するために、上着用ハンガーと結合される。下半身の衣類は広範なサイズの種類があり、下半身用の衣類ハンガーは、適切なハンガーのサイズを適当な衣類のサイズに合わせた多様な長さのものが提供される。同様に、下半身用のハンガーの組み合せ部材も、多様な長さのものがある。ハンガーシステムが、展示、小売りおよび／または包装する者が下半身用ハンガーおよび／または組み合せ部材のサイズを変えられるようにできるものであれば、それは利点となるであろう。さらに、ハンガーシステムの整合性を確保することは、ハンガーのループ部分およびハンガー本体を固定した状態に維持して、衣類の輸送、展示および販売のすべての段階の間、構成要素を固定し多情帯に維持する機構がハンガーシステムに提供されれば、それは利点となるであろう。そのようなシステムは、多様なサイズおよび長さの中からハンガーの構成要素を選択可能にするであろう。
【課題を解決するための手段】
【０００７】
１つの曲面において、本発明は、それ自身は上半身用の衣類を支持できる衣類ハンガー（以降、上半身用衣類ハンガー）から吊り下げられることを意図するコーディネイトループハンガーシステムが導出される。
【０００８】
そのコーディネイトループハンガーシステムは、上半身用衣類ハンガーと係合するための部材に付属した予め選択された長さの部材を含み、その部材はループから遠位側の端部に設けられ、遠位側の端部は第１結合形状を有する組み合わせ要素を含む。
【０００９】
さらに、そのコーディネイトループハンガーシステムは、下半身用衣類の製品のような衣類の製品をクランプの顎の中に受け入れる少なくとも１つのクランプを有するハンガー本体であって、組み合わせ要素の第１結合形状が第２結合形状に対して、またはその逆に、相補的であり、係合可能であるハンガー本体を含む。
【００１０】
さらに、そのコーディネイトループハンガーシステムにおいて、第１結合形状は、第１結合形状と第２結合形状とが係合したときに、第２結合形状の表面に当接するように配置される分離防止器を有し、分離防止器は、第１結合形状と第２結合形状とが係合したときに、第１結合形状と第２結合形状との分離に抵抗する分離抵抗位置に配置される。
【００１１】
本願において、「分離防止器」という用語は、単独または他の構成要素と組み合わせられ、本発明のコーディネイトループハンガーの構成要素の分離に抵抗する手段を提供する構成要素を指す。しかしながら、「分離防止器」という用語は、この用語の意味からは明確に除外される接着剤を含まない。
【００１２】
１つの曲面において、コーディネイトループハンガーは、上半身用衣類ハンガーの組み合わせ要素のループ吊り下げ部材により、上半身用衣類ハンガーのフックまたは吊り下げ部材の上に、延長部材で略鉛直方向にループから下向きに吊り下げられる。コーディネイトループハンガーのハンガー本体は、延長部材と係合したとき、略鉛直方向に延長される。この構成により、コーディネイトされ、または、組み合わせた衣類のセットは一緒に展示され得る。上半身用衣類ハンガーは、ジャケット、ブラウス、または他の衣類を展示でき、下半身用衣類ハンガーは、スラックス、スカートまたは他のいくつかの衣類を展示できる。
【００１３】
他の曲面において、本発明は、上半身用衣類を保持できる衣類ハンガーから吊り下げるように構成したコーディネイトループハンガーを導出する。
【００１４】
そのコーディネイトループハンガーは、ループに取り付けた長さを予め選択した延長部材を含む組み合わせ要素を含み、延長部材は、ループから遠位側の端部に設けられ、遠位側の端部に第１結合形状を有する。
【００１５】
さらに、そのコーディネイトループハンガーは、下半身用衣類の製品のような衣類の製品をクランプの顎の中に受け入れる少なくとも１つのクランプを有するハンガー本体であって、第１結合形状が第２組結合形状に対して、またはその逆に、相補的であり、係合可能であるハンガー本体を含む。
【００１６】
さらに、そのコーディネイトループハンガーシステムにおいて、第２結合形状は、第１結合形状と第２結合形状とが係合したときに第２結合形状の当接面に配置され分離防止器を有し、第１結合形状と第２結合形状とが係合したときに分離防止器は、第１結合形状と第２結合形状との分離に抵抗する分離抵抗位置に配置される。
【００１７】
本発明の具体的曲面において、組み合わせ要素に設けた上半身用衣類ハンガーに係合する部材は、上半身用衣類ハンガーのフックに上に適合する寸法に形成され、コーディネイトループハンガーシステムを、コーディネイトループハンガーシステムの下半身用衣類ハンガーを上半身用衣類ハンガーより低い高さに吊り下げることを可能にする。
【００１８】
本発明の他の具体的な曲面において、コーディネイトループハンガーシステムのハンガー本体は、第１および第２クランプが、それぞれ、ハンガー本体の第１および第２の端部に設けられている。クランプは、衣類の商品、特に下半身用衣類（例えば、パンツ、スカート、ズボン、水着など）のような衣類をその把持部に保持するのに適する。
【００１９】
本発明のさらに具体的な曲面において、第１結合形状および第２結合形状は、プラグおよびソケット（またはその逆）である。プラグは、ソケットに受け入れられるサイズおよび寸法に形成される。プラグおよびソケットは、ハンガー本体および組み合わせ要素の間に交換可能に配置される。しかし、当業者は、ハンガー本体および組み合わせ要素の堅固な係合を達成する様々な実施形態を想到するであろう。
【００２０】
本発明のまたさらに具体的な曲面において、組み合わせ要素の第１結合形状はプラグである。さらに、より具体的には、ハンガー本体には、ハンガー本体から延伸する突起が設けられ、突起は、第２結合形状として作用するソケットを構成する延伸部を画定する。
【００２１】
他の具体的な実施形態において、第１結合形状および第２結合形状の一方は、第１結合形状と第２結合形状とが係合したときに、結合形状の他方の当接面に配置されたタブを構成する分離防止器が設けられており、第１結合形状と第２結合形状とが係合したとき、分離防止器は第１結合形状と第２結合形状との分離に抵抗する分離抵抗位置に配置される。
【発明を実施するための最良の形態】
【００２２】
図１は、本発明の実施形態を図示し、コーディネイトループハンガー２は、上側ハンガー１から吊り下げられている。上側ハンガー１は、典型的な型の金属フック３を有する上側ハンガーを例示し、しかし、プラスチックフックを有するもののような他の型のハンガーもまた利用可能である。コーディネイトループハンガー２は、ループ７（上側ハンガー１のフック３の上に配置され、ボス４の上に置かれて図示された）組み合わせ要素８を含み、延長部材５がループ７に取り付けられている。ハンガー本体６は、クランプ９が設けられ、クランプの顎の間に衣類を保持する。クランプは、この試みの領域で知られた如何なるデザインであってもよく、少なくともクランプの一部がハンガー本体と一体に形成されてもよい。
【００２３】
下側ハンガー２が上側ハンガー１から吊り下げられたとき、上半身用衣類ハンガー１は、ジャケットのような上半身用の衣類を保持でき、下側ハンガー２は、パンツまたはスラックスのような下半身用の衣類を保持できる。
【００２４】
図２は、本発明の実施形態を示し、ループ７および延長部材５を含む組み合わせ要素８は、第２ハンガー本体要素６から脱離している。ループ７から遠位側の組み合わせ要素６の端部には、ハンガー本体６に設けたソケット１４に係合するサイズおよび寸法に形成されたプラグ１３が設けられている。ソケット１４は、ハンガー本体６から延伸するソケット保持部１６の上に位置する。
【００２５】
図３は、実施形態を示し、その上側から見たソケット保持部を有するハンガー本体６は、そこから上方に延伸する。側壁１５，１５’および１５”を有するソケット１４は、第１構成要素１０のプラグ１２を受け入れる空間を画定する。図４は、ソケット保持部１６の実施形態の代案を示し、ソケット支持部１６には、開口１８が設けられている。ソケット１４の横方向に延伸する側壁１５は、開口を通して視認できる。
【００２６】
図５および６は、プラグ１２および延長した本体５の遠位側の端部を示す。プラグ１２の上に位置するタブ２０は、プラグのパネルの外に延伸する。タブ２０には、タブに延長された本体５の軸に対して垂直なロック面２２が設けられた位置から頂点２１ａに登る傾斜面２１が形成されている。
【００２７】
図７は、図３に示す保持部１６の上に位置するソケットの中に係合した延長部材５の遠位側の端部のプラグ１２を示す。図示されるように、タブ２０の傾斜面２１はソケットをタブ２０が通過できるサイズおよび形状に形成されている。タブ２０のロック面２２は、少なくともロック面２２の一部がソケットの側壁１５の表面に当接し、それにより、ハンガー本体６と延長部材５との２つを分離し得るような力が加えられたとき、両者の分離に対して抵抗力を与える。本発明の１つの曲面において、タブ２０のロック面２２およびソケットの側壁１５は、延長部材とハンガー本体６との分離を完全に防止するサイズおよび寸法に形成される訳ではなく、比較的高いレベルの力を加えると２つの構成要素が分離でき、これによって、２つの構成要素の不注意な分離を効果的に防止し、十分な力を加えたときの２つの構成要素の意図的な分離を可能にする。
【００２８】
図８は、図４に示すソケット保持部１６に係合した延長部材５の遠位側の端部のプラグ１２を示す。この実施形態において、プラグ１２のタブ２０は、ソケット保持部の後方側面の開口１８の中に存在し、ロック面２２をソケット保持部１６の開口１８の内壁２４に対して当接させている。
【００２９】
本発明のハンガーは、当業者には公知の射出成型技術により、従来の熱可塑性材料で成型できる。勿論、そのような公知の材料は、組み合わせ要素８とハンガー本体６との分離に対する抵抗力を与えるのに好ましいレベルの柔軟性と弾性とを提供する。
【００３０】
図９は、実施形態の代案であり、ハンガー本体６の側部のソケット１４の配置によって、ソケット保持部を取り除いたものである。図１０は、さらに他の実施形態であり、ハンガー本体に、それを貫通する視認可能なソケット１４が設けてある。
【００３１】
上記の説明および関連する図は、組み合わせ要素８の上に位置するプラグおよびハンガー本体６に設けられた結合ソケットを有するが、プラグおよびソケットは組み合わせ要素とハンガー本体との間で反対に配置できるものと進んで理解しなければならない。
【００３２】
本発明のコーディネイトループハンガーが分離されたハンガー本体６と分離された組み合わせ要素８とを組み立てたものであることによって、本発明のハンガーを使用するものは、異なるハンガー本体のサイズと組み合わせ要素のサイズとの取り合わせの中から自由に選択できる。例えば、下半身用衣類ハンガーは、長さが８”，１０”および１２”が利用できる。こうして、本発明のユーザは、衣類をハンガーに掛けるとき、トップとボトムのハンガーを適切に選択できる。同様に、組み合わせ要素の長さを、少なくとも、展示の際の衣類の提示する美観を調整することが可能になる。さらに、使用後、ハンガーは、分離防止要素の分離抵抗力を降伏させるのに必要な限界以上の力を与えて分解することができる。
【図面の簡単な説明】
【００３３】
【図１】上半身用衣類ハンガーから吊り下げられた本発明のコーディネイトループハンガーの斜視図。
【図２】本発明のコーディネイトループハンガーの具体的な実施形態の分解図。
【図３】本発明の具体的な実施形態の頂部平面図。
【図４】本発明の具体的な実施形態の斜視図。
【図５】本発明の具体的な実施形態の斜視図。
【図６】図５に図示したプラグの断面図。
【図７】本発明の第１のプラグおよびソケットの配置の断面図。
【図８】本発明の第２のプラグおよびソケットの配置の断面図。
【図９】本発明の第１のソケットの配置の立面図。
【図１０】本発明の第２のソケットの配置の立面図。
【図１】
2006280957.tif 000003
【図２】
2006280957.tif 000004
【図３】
2006280957.tif 000005
【図４】
2006280957.tif 000006
【図５】
2006280957.tif 000007
【図６】
2006280957.tif 000008
【図７】
2006280957.tif 000009
【図８】
2006280957.tif 000010
【図９】
2006280957.tif 000011
【図１０】
2006280957.tif 000012
【外国語明細書】
2006280957.tif 000013
2006280957.tif 000014
2006280957.tif 000015
2006280957.tif 000016
2006280957.tif 000017
2006280957.tif 000018
2006280957.tif 000019
2006280957.tif 000020
2006280957.tif 000021
2006280957.tif 000022
2006280957.tif 000023
2006280957.tif 000024
2006280957.tif 000025
2006280957.tif 000026
2006280957.tif 000027
2006280957.tif 000028